(57)【要約】【課題】本発明は、確実にＦＰＣ５０又はＦＦＣを嵌合口１８内に誘うことができ、ピッチの狭小化やコネクタ１０の小型化が可能なコネクタ１０を提供せんとするものである。【解決手段】本目的はＦＰＣ４０又はＦＦＣと着脱自在に嵌合するコネクタ１０であって、ＦＰＣ４０又はＦＦＣと接触する接触部２２を有する所要数のコンタクト１４、１４１と、このコンタクト１４、１４１が保持・固定されるとともにＦＰＣ４０又はＦＦＣが挿入される嵌合口１８を有するハウジング１２とを備えるコネクタ１０において、ハウジング１２には嵌合口１８側にＦＰＣ４０又はＦＦＣを誘う凹部１９を設け、コンタクト１４１の接続部２４をハウジング１２の凹部１９内から突出しないように配置することにより達成できる。【選択図】  図１
2004178958.tif 000002
【特許請求の範囲】
【請求項１】
フレキシブルプリント基板（ＦＰＣ）又はフレキシブルフラットケーブル（ＦＦＣ）と着脱自在に嵌合するコネクタであって、該フレキシブルプリント基板又は前記フレキシブルフラットケーブルと接触する接触部を有する所要数のコンタクトと、このコンタクトが保持・固定されるとともに前記フレキシブルプリント基板又は前記フレキシブルフラットケーブルが挿入される嵌合口を有するハウジングとを備えるコネクタにおいて、
前記ハウジングには前記嵌合口側に前記フレキシブルプリント基板（ＦＰＣ）又は前記フレキシブルフラットケーブル（ＦＦＣ）を誘う凹部を設け、前記コンタクトの接続部を前記ハウジングの凹部内から突出しないように配置したことを特徴とするコネクタ。
【請求項２】
２種類のコンタクトを千鳥に配置し、一方のコンタクトの接続部を前記ハウジングの嵌合口と反対側に配置し、もう一方のコンタクトの接続部を前記ハウジングの凹部内から突出しないように配置したことを特徴とする請求項１記載のコネクタ。
【請求項３】
前記ハウジングの嵌合口から前記フレキシブルプリント基板（ＦＰＣ）又は前記フレキシブルフラットケーブル（ＦＦＣ）を挿入した後にスライダーを挿入し、該スライダーにより前記フレキシブルプリント基板（ＦＰＣ）又は前記フレキシブルフラットケーブル（ＦＦＣ）を前記コンタクトの接触部に押しつける構造にしたことを特徴とする請求項２記載のコネクタ。
【請求項４】
一方のコンタクトには接触部と接続部との間に弾性部と支点部とを設けるとともに前記接触部と前記弾性部と前記支点部と前記接続部とを略クランク形状に配置し、かつ、前記接続部と対向する位置に前記弾性部から延設された押受部を設け、もう一方のコンタクトには接触部と接続部との間に弾性部と支点部とを設けるとともに前記接触部と前記弾性部と前記支点部と前記接続部とを略コ字状に配置し、かつ、前記弾性部から接触部と反対方向に延設された押受部を設け、前記接続部が前記ハウジングの凹部内に入るように配置し、前記スライダーに長手方向に連設した押圧部を設け、該押圧部が一方のコンタクトの接続部と押受部との間及びもう一方のコンタクトの押受部と前記ハウジングとの間で回動自在に前記スライダーを前記ハウジングに装着したことを特徴とする請求項２記載のコネクタ。
【請求項５】
前記ハウジングの凹部内に配置された前記コンタクトの接続部とにより前記フレキシブルプリント基板（ＦＰＣ）又は前記フレキシブルフラットケーブル（ＦＦＣ）をガイドできるようにしたことを特徴とする請求項３乃至４記載のコネクタ。
【発明の詳細な説明】
【０００１】
【発明の属する技術分野】
本発明は、携帯電話やノートパソコンやデジタルカメラ等に使用されるコネクタに関するもので、特にフレキシブルプリント基板（以下「ＦＰＣ」という）やフレキシブルフラットケーブル（以下「ＦＦＣ」という）をコネクタに誘い易くし、かつ、コネクタの狭小化を図ったものである。
【０００２】
【従来の技術】
携帯電話やＣＣＤカメラ等に使用されるコネクタは、狭ピッチで極薄（所謂軽薄短小）であり、主にハウジングとコンタクトとを備え、ハウジングにＦＰＣ又はＦＦＣを挿入し、コンタクトの接触部に接触させう構造のものや主にハウジングとコンタクトとスライダーとを備え、ハウジングとスライダーとでＦＰＣ又はＦＦＣを挟持する構造である。ハウジングとスライダーとでＦＰＣ又はＦＦＣを保持する方法には、色々考えられるが、中でもハウジングにＦＰＣ又はＦＦＣを挿入した後にスライダーを挿入しＦＰＣ又はＦＦＣをコンタクトに押しつける構造のものが多い。また、客先の仕様や狭ピッチを図るためには、前記コンタクトの接続部を前記ハウジングの嵌合口側に配置しなければならないこともある。
ハウジングには、コンタクトが挿入される所要数の挿入孔が設けられるとともにＦＰＣ又はＦＦＣが挿入される嵌合口が設けられている。
コンタクトは主にＦＰＣ又はＦＦＣと接触する接触部と基板等に接続する接続部とハウジングに固定される固定部とから構成されている。このコンタクトは、圧入等によってハウジングに固定されている。
【０００３】
【特許文献１】
例えば、ゼロインサーションフォース構造としては、実開平６−６０９８３号がある。実開平６−６０９８３号の要約によると、その目的は、電子機器や通信機器内の狭いスペースに使用されるスライダー付プリント基板用コネクタに関するものであり、その構成は、コネクタのスライダーの両側端部にそのスライダーが挿入されるハウジングへの挿入ガイドとして手前側が固定されたＵ字形状のアーム部を形成し、そのＵ字形状のアーム部の開放端側に凸部を設けるとともに、Ｕ字形状のアーム部の開放端が挿入方向から目視できるように切欠部を設け、ハウジングの両側端部にはスライダーの凸部が係合する傾斜面を有する突出部を設け、スライダーをフレキシブル・プリント基板の接続端子部とともにハウジングに挿入されるとき、当該スライダーの凸部がハウジングの傾斜面を有する突出部を乗り越えることにより、そのＵ字形状のアーム部の開放端が一時的に外側に広げられ、かつ挿入完了時にその開放端が正常位置に復帰するようにしたコネクタが開示されている。
【０００４】
【特許文献２】
所謂、ピアノタッチ構造としては、特開平１３−２５７０２０号に、コネクタのコンタクトとＦＰＣ叉はＦＦＣのパターンとの位置合わせを確実に行うことを目的とし、ＦＰＣ叉はＦＦＣが挿入される開口側の、コネクタの端子ブロックの各コンタクト間の稜線上に突起を列設して、端子ブロックにＦＰＣ叉はＦＦＣを挿入した後に、スライダを移動させることによってＦＰＣ叉はＦＦＣを前記コンタクトに押圧させ、前記スライダでＦＰＣ叉はＦＦＣをコンタクトに押しつけ電気接続させる際に、この突起がＦＰＣ叉はＦＦＣのパターン間の凹部に入ることにより、コネクタのコンタクトとＦＰＣ叉はＦＦＣのパターンとの位置合わせを確実に行うものが開示されている。
【０００５】
【発明が解決しようとする課題】
近年、この種のコネクタでは、電気機器（電子機器）の小型化に伴い、より一層の小型化の要求が強くなってきているが、上述した構造のコネクタで前記コンタクトの接続部が前記ハウジングの嵌合口側に配置された場合には、ＦＰＣ又はＦＦＣの誘いとの兼ね合いから前記ハウジングから前記コンタクトの接続部が突出せざるおえなく、もうこれ以上小型化出来ないといった解決すべき課題があった。
また、コネクタのピッチの狭小化が要求された場合、従来の構造のようにコンタクトを一方向から挿入したのでは、コネクタの狭小化にも限界があった。
【０００６】
本発明は、このような従来の問題点に鑑みてなされたもので、確実にＦＰＣ又はＦＦＣを嵌合口内に誘うことができ、ピッチの狭小化やコネクタの小型化が可能なコネクタを提供せんとするものである。
【０００７】
【課題を解決するための手段】
上記目的は、ＦＰＣ４０又はＦＦＣと着脱自在に嵌合するコネクタ１０であって、該ＦＰＣ４０又は前記ＦＦＣと接触する接触部２２を有する所要数のコンタクト１４、１４１と、このコンタクト１４、１４１が保持・固定されるとともに前記ＦＰＣ４０又は前記ＦＦＣが挿入される嵌合口１８を有するハウジング１２とを備えるコネクタ１０において、
前記ハウジング１２には前記嵌合口１８側に前記ＦＰＣ４０又は前記ＦＦＣを誘う凹部１９を設け、前記コンタクト１４１の接続部２４を前記ハウジング１２の凹部１９内から突出しないように配置することにより達成できる。
【０００８】
ピッチの狭小化に対応するために、２種類のコンタクト１４、１４１を千鳥に配置した場合は、一方のコンタクト１４の接続部２４を前記ハウジング１２の嵌合口１８と反対側に配置し、もう一方のコンタクト１４１の接続部２４を前記ハウジング１２の凹部１９内から突出しないように配置する。
ＦＰＣ４０又はＦＦＣの挿入時に挿入力が掛からないように、前記ハウジングの嵌合口からＦＰＣ４０又はＦＦＣを挿入した後にスライダーを挿入し、該スライダーにより前記ＦＰＣ４０又はＦＦＣを前記コンタクトの接触部に押しつける構造にする。
ＦＰＣ４０又はＦＦＣの挿入時に挿入力が掛からないように、または、一方のコンタクト１４には接触部２２と接続部２４との間に弾性部３４と支点部３２とを設けるとともに前記接触部２２と前記弾性部３４と前記支点部３２と前記接続部２４とを略クランク形状に配置し、かつ、前記接続部２４と対向する位置に前記弾性部３４から延設された押受部２０を設け、もう一方のコンタクト１４１には接触部２２と接続部２４との間に弾性部３４と支点部３２とを設けるとともに前記接触部２２と前記弾性部３４と前記支点部３２と前記接続部２４とを略コ字状に配置し、かつ、前記弾性部３４から接触部２２と反対方向に延設された押受部２０を設け、前記接続部２４が前記ハウジング１２の凹部１９内に入るように配置し、前記スライダー１６に長手方向に連設した押圧部３６を設け、該押圧部３６が一方のコンタクト１４の接続部２４と押受部２０との間及びもう一方のコンタクト１４１の押受部２０と前記ハウジング１２との間で回動自在に前記スライダー１６を前記ハウジング１２に装着する。
前記ハウジング１２の凹部１９内に配置された前記コンタクト１４１の接続部２４とにより前記ＦＰＣ４０又は前記ＦＦＣをガイドできるようにする。
【０００９】
【作用】
前記ＦＰＣ４０又はＦＦＣが前記ハウジング１２の嵌合口１８内に挿入される際に、前記ＦＰＣ４０又はＦＦＣの先端が前記ハウジング１２の凹部１９内に配置された前記コンタクト１４１の接続部２４に当たり、前記ＦＰＣ４０又はＦＦＣは前記ハウジング１２の嵌合口１８内に誘われる。
【００１０】
【発明の実施の形態】
本発明の重要な特徴は、「前記ハウジング１２の前記嵌合口１８側に前記ＦＰＣ４０又は前記ＦＦＣを誘う凹部１９を設け、前記コンタクト１４１の接続部２４を前記ハウジング１２の凹部１９内から突出しないように配置した」点にある。この特徴を活かした形態には、３つタイプがある。３つのタイプとも、ＦＰＣ４０をコンタクトに接触させる構造である点では同じであるが、ＦＰＣをコンタクトに接触させる仕方に相違がある。
第一の構造のコネクタ１０は、主にハウジング１２とコンタクト１４、１４１とスライダー１６とを備えており、前記スライダー１６が回動してＦＰＣ４０をコンタクト１４、１４１に押しつけるタイプのものであり、所謂ピアノタッチ方式と称するタイプのコネクタ１０である。前記スライダー１６を回動させる位置としては、嵌合側であったり、コンタクト接続側（テール側）であったりする。以下の実施例では、このタイプのものを詳細に説明する。
【００１１】
第二の構造のコネクタは、第一と同様に主にハウジングとコンタクトとスライダーとを備えており、前記スライダーを前記ハウジングの嵌合口へ挿入して、前記ＦＰＣを前記コンタクトに押しつけるタイプのものであり、所謂ＺＩＦ構造（ゼロ  インサーション  フォース）タイプ）のコネクタと称するものである。即ち、前記ハウジングの嵌合口から前記ＦＰＣを挿入した後に、前記スライダーを前記嵌合口内に挿入して、前記ＦＰＣを前記コンタクトに押しつけるものである。
第三の構造のコネクタは、主にハウジングとコンタクトとを備えており、前記ＦＰＣを前記ハウジングの嵌合口へ挿入して、前記ＦＰＣを前記コンタクトに接触させる（押しつける）タイプのものであり、スライダーを使用しない所謂ＮＯＮ  ＺＩＦタイプのコネクタと称されるものである。即ち、前記ＦＰＣの厚さより狭い、前記コンタクト接触部間や前記コンタクトと前記ハウジングとの間に、前記ＦＰＣを無理に挿入して、前記コンタクトに接触させる（押しつける）ものである。
上述した３つの構造のもの全てに、嵌合側に凹部を設けていることは言うまでもない。
【００１２】
【実施例】
図１から図５に基づいて、本発明のコネクタの一実施例について説明する。図１（Ａ）はスライダーが開いた状態の嵌合口側からみた本発明のコネクタの斜視図であり、（Ｂ）はスライダーが開いた状態の接続部側からみた本発明のコネクタの斜視図である。図２（Ａ）はスライダーが開いた状態のある一方のコンタクト部分で切断した本発明のコネクタの斜視図であり、（Ｂ）はＦＰＣが挿入されスライダーが閉じた状態のある一方のコンタクト部分で切断した本発明のコネクタの斜視図である。図３（Ａ）はスライダーが開いた状態のあるもう一方のコンタクト部分で切断した本発明のコネクタの斜視図であり、（Ｂ）はＦＰＣが挿入されスライダーが閉じた状態のあるもう一方のコンタクト部分で切断した本発明のコネクタの斜視図である。図４はスライダーの斜視図である。図５は一方のコンタクトの変形例を示した図面である。
一実施例の本発明のコネクタ１０は、主にハウジング１２とスライダー１６とコンタクト１４、１４１とを備えている。該コネクタ１０は、２種類のコンタクト１４、１４１をハウジング１２への挿入方向を変えて千鳥に配列しており、挿入方向を変えて千鳥に配列することによってピッチの狭小化と低背位化に対応させたものである。
【００１３】
図に基づいて本発明のコネクタ１０の構成部品について説明する。
まず、本発明のポイントであるハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００１４】
前記ハウジング１２には、所要数のコンタクト１４、１４１が装着される挿入溝３８が設けられており、圧入や引っ掛け（ランス）や溶着等によって固定されている。また、前記ハウジング１２の前記嵌合口１８側に前記ＦＰＣ４０又は前記ＦＦＣを誘う凹部１９が設けられている。該凹部１９の大きさは、前記ハウジング１２の強度や前記コンタクト１４、１４１の接続性（半田付け性）や前記ＦＰＣ４０の誘い易さを考慮し、前記コンタクト１４１の接続部２４が前記ハウジング１２の凹部１９内から突出しないように適宜設計されている。前記ハウジング１２の長手方向両側には、前記スライダー１６の軸２８が回動可能に装着される軸受部が設けられている。この軸受部の形状や大きさは、スライダー１６の軸２８が回動できるように装着されていれば如何なるものでもよく、この役割やハウジング１２の強度や大きさ等を考慮して適宜設計する。さらにまた、長手方向両側には、前記スライダー１６のロック部に対応した位置に係止部が設けられている。
【００１５】
次に、２種類のコンタクト１４、１４１について説明する。この２種類のコンタクト１４、１４１は金属製であり、公知技術のプレス加工によって製作されている。前記コンタクト１４、１４１の材質としては、バネ性や導電性などが要求されるので、黄銅やベリリウム銅やリン青銅等を挙げることができる。
【００１６】
一方の前記コンタクト１４は、図２のように倒略Ｈ形状をしており、主にＦＰＣ４０又はＦＦＣと接触する接触部２２と基板に接続する接続部２４とハウジング１２に固定する固定部４２と前記接触部２２と前記接続部２４との間に設けられた弾性部３４及び支点部３２と前記接続部２４と対向する位置に前記弾性部３４から延設された押受部２０と支点部３２から延設した方向にも前記ＦＰＣ４０又はＦＦＣと接触するもう一つの接触部２２とを備えている。上方側の前記接触部２２（図２（Ａ）の図面の上側）と前記弾性部３４と前記支点部３２と前記接続部２４とは、略クランク形状に配置されている。前記接触部２２は、ＦＰＣ４０又はＦＦＣと接触し易いように凸部形状にしており、前記接続部２４は本実施例では図１のように表面実装タイプ（ＳＭＴ）にしているが、ディップタイプでも良い。即ち、２つの接触部２２、２２を設けて、前記ＦＰＣ４０又はＦＦＣを挟持するようにする。前記ＦＰＣ４０又はＦＦＣの挿入方向に対して、直角方向両側に接触部２２、２２を設けることで、前記ＦＰＣ４０又はＦＦＣを２つの接触部２２、２２で挟持することになり、確実に前記ＦＰＣ４０又はＦＦＣと接触できるようになる。
【００１７】
前記支点部３２と前記弾性部３４と前記押受部２０とは、前記ＦＰＣ４０又はＦＦＣが挿入された際に、次のような作用を果たすための部分である。前記ＦＰＣ４０又はＦＦＣが前記ハウジング１２の嵌合口１８内に挿入された後に、前記スライダー１６の押圧部３６が前記コンタクト１４の接続部２４と押受部２０との間で回動すると、前記押受部２０が押圧部３６によって押し上げられることで前記コンタクト１４の支点部３２を支点にし、前記コンタクト１４の弾性部３４が前記接触部２２側に傾くことによって、前記接触部２２が前記ＦＰＣ４０又はＦＦＣ側に押圧される。前記支点部３２と前記弾性部３４と前記押受部２０の大きさや形状は、このような作用を果たすために、適宜設計されている。また、前記コンタクト１４の押受部２０の先端に突出部２６を設け、スライダー１６の押圧部３６をコンタクト１４の押受部２０と接続部２４との間で回動させるとき、前記スライダー１６の係止孔３０に係合させることで、スライダー１６の回動に対する強い反発力に対抗し、スライダー１６の中央部が図１（Ｂ）の矢印「ロ」方向に膨れてしまうことを防ぐようにすることが望ましい。前記突出部２６の大きさは、このような役割を果たすことが出来れば如何なる大きさでもよく、スライダー１６の押圧部３６が引っ掛かる程度に適宜設計する。
【００１８】
もう一方のコンタクト１４１について説明する。ここでは、上述した一方のコンタクト１４との相違部分についてのみ説明する。もう一方の前記コンタクト１４１も一方の前記コンタクト１４と同様に倒略Ｈ字形状をしており、倒略Ｈ字形状のものは、主にＦＰＣ４０又はＦＦＣと接触する接触部２２と基板に接続する接続部２４とハウジング１２に固定する固定部４２と前記接触部２２と前記接続部２４との間に設けられた弾性部３４及び支点部３２と前記弾性部３４から延設された押受部２０と前記支点部３２からも接続部２４と反対方向に延設された延設部４４とを備え、前記接触部２２と前記弾性部３４と前記支点部３２と前記接続部２４とは略コ字形状に配置されている。前記接続部２４は、一方のコンタクトと同様に表面実装タイプ（ＳＭＴ）にしているが、ディップタイプでも良い。
【００１９】
前記支点部３２と前記弾性部３４と前記押受部２０とは、一方のコンタクト１４と同様に、前記ＦＰＣ４０又はＦＦＣが挿入された際に、前記スライダー１６の押圧部３６が前記コンタクト１４１の押受部２０と延設部４４との間で回動すると、前記押受部２０が押圧部３６によって押し上げられることで前記コンタクト１４１の支点部３２を支点にし、前記コンタクト１４１の弾性部３４が前記接触部２２側に傾くことによって、前記接触部２２が前記ＦＰＣ４０又はＦＦＣ側に押圧される。前記支点部３２と前記弾性部３４と前記押受部２０の大きさや形状は、このような作用を果たすために、適宜設計されている。また、前記コンタクト１４１の押受部２０の先端に突出部２６を設け、スライダー１６の押圧部３６を回動させるとき、前記スライダー１６の係止孔３０に係合させることで、スライダー１６の回動に対する強い反発力に対抗し、スライダー１６の中央部が図１（Ｂ）の矢印「ロ」方向に膨れてしまうことを防ぐようにすることが望ましいが、ピッチの狭小化による前記スライダー１６の強度を考慮すると、２種類あるコンタクト１４、１４１の内、一方のコンタクト１４に設けておけば、十分である。前記突出部２６の大きさは、このような役割を果たすことが出来れば如何なる大きさでもよく、スライダー１６の押圧部３６が引っ掛かる程度に適宜設計する。
【００２０】
図５のように、一方のコンタクト１４に代えて、一方のコンタクト１４の支点部３２から延設した方向に設けたＦＰＣ４０又はＦＦＣとの接触部２２を削除したものであり、形状を略逆ｈ字形状にしたコンタクト１４２を使用してもよい。もう一方の前記コンタクト１４１も、主にＦＰＣ４０又はＦＦＣと接触する接触部２２と基板に接続する接続部２４とハウジング１２に固定する固定部４２と前記接触部２２と前記接続部２４との間に設けられた弾性部３４及び支点部３２と前記弾性部３４から延設された押受部２０を備えた、略逆ｈ字形状のものでもよく、前記接触部２２と前記弾性部３４と前記支点部３２と前記接続部２４とが略コ字形状に配置されている。
【００２１】
最後に、スライダー１６について説明する。このスライダー１６は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。該スライダー１６は主にハウジング１２に回動可能に装着される軸２８部分と前記コンタクト１４、１４１の押受部２０を押圧する押圧部３６と前記コンタクト１４、１４１の突出部２６が係合する係止孔３０とを備えている。前記軸２８は、スライダー１６を回動するための支点であり、ハウジング１２の長手方向両側にスライダー１６が回動可能に適宜装着されている。また、長手方向両側には、前記コンタクト１４、１４１の押受部２０を押圧した際にスライダー１６が高さ（図面の上）方向に持ち上がらないようにするためにハウジング１２と係合するロック部が設けられている。ロック部の形状や大きさ等は、ハウジング１２に係合できれば如何なるものでもよく、上述の役割やコネクタの大きさや強度等を考慮して適宜設計する。
【００２２】
前記押圧部３６は、コンタクト１４、１４１の押受部２０に押し付ける部分であり、その形状としては細長形状にすることが望ましく、本実施例では楕円形状をしている。このように楕円形状にすることによって、図２（Ａ）のようにスライダー１６を矢印「イ」方向に回動させ、コンタクト１４の押受部２０と接続部２４との間で回転させることで、押圧部３６の大きさの変化によりコンタクト１４の押受部２０が持ち上げられ、ＦＰＣ４０又はＦＦＣをコンタクト１４の接触部２２側に押し付けている。押圧部３６の形状としては、コンタクト１４の押受部２０と接続部２４との間で回転でき、長軸と短軸といった大きさの違いによりコンタクト１４の押受部２０を押し上げられれば、如何なるものでもよい。
また、前記スライダー１６を回動した際に、スライダー１６の回動に対する反発力が強く、スライダー１６の中央部が図１（Ｂ）の矢印「ロ」方向に膨れてしまうことを防ぐようにする為に、前記コンタクト１４の突出部２６が係合する係止孔３０が別個独立に設けられている。前記係止孔３０を別個独立に設けることで、スライダー１６の強度アップや回動時の変形を防止している。
【００２３】
【発明の効果】
以上の説明から明らかなように、本発明のコネクタによると、次のような優れた顕著な効果が得られる。
（１）前記ハウジング１２には前記嵌合口１８側に前記ＦＰＣ４０又は前記ＦＦＣを誘う凹部１９を設け、前記コンタクト１４１の接続部２４を前記ハウジング１２の凹部１９内から突出しないように配置しているので、確実にＦＰＣ４０又はＦＦＣを嵌合口１８内に誘うことができる。
（２）スライダー１６をハウジング１２のコンタクト接続部２４側で回動させることで、コンタクト１４、１４１の接触部２２をＦＰＣ４０又はＦＦＣに接触させる構造にしているので、ハウジング１２の嵌合口１８にスライダー１６を挿入することがなく、スライダー１６の厚み分だけコネクタ１０の低背位化が可能になった。
（３）２種類のコンタクト１４、１４１を準備し、一方のコンタクト１４を接続部２４側から挿入し、もう一方のコンタクト１４１を嵌合口１８側から挿入し、前記スライダー１６を接続部２４側で回動させることで、容易に狭小化と低背位化が可能になる。
（４）ＦＰＣ４０又はＦＦＣを挿入する側はハウジング１２の嵌合口１６で、コンタクト１４、１４１の接触部２２をＦＰＣ４０又はＦＦＣに押しつける動作はコンタクト１４の接続部２４側で行っているので、コネクタ１０が小型化しても作業性に影響がなく、容易に作業を行うことができる。
（５）前記ＦＰＣ４０又はＦＦＣが前記ハウジング１２の嵌合口１８内に挿入された後に、前記スライダー１６の押圧部３６が一方の前記コンタクト１４の接続部２４と押受部２０との間で回動すると、前記押受部２０が押圧部３６によって押し上げられることで前記コンタクト１４の支点部３２を支点にし、前記コンタクト１４の弾性部３４が前記接触部２２側に傾くことによって、前記接触部２２が前記ＦＰＣ４０又はＦＦＣ側に押圧されるので、確実にコンタクト１４の接触部２２とＦＰＣ４０又はＦＦＣとを接続することができる。
（６）前記ＦＰＣ４０又はＦＦＣが前記ハウジング１２の嵌合口１８内に挿入された後に、前記スライダー１６の押圧部２０がもう一方の前記コンタクト１４１の押受部２０と延設部４４との間で回動すると、前記押受部２０が押圧部３６によって押し上げられることで前記コンタクト１４１の支点部３２を支点にし、前記コンタクト１４１の弾性部３４が前記接触部２２側に傾くことによって、前記接触部２２が前記ＦＰＣ４０又はＦＦＣ側に押圧されるので、確実にコンタクト１４１の接触部２２とＦＰＣ４０又はＦＦＣとを接続することができる。
（７）一方の前記コンタクト１４若しくは両方の押受部２０の先端に突出部２６を設けているので、スライダー１６の押圧部３６をコンタクト１４の押受部２０と接続部２４との間で回動させるときスライダー１６の回動に対する反発力が強くても、スライダー１６の中央部が矢印「ロ」方向（図１（Ｂ））に膨れてしまうことを防ぐことが出来る。
（８）前記スライダー１６の押圧部３６の形状を細長形状（長軸と短軸がある）にしているので、前記スライダー１６を回動した際に、確実に前記コンタクト１４、１４１の押受部２０を上方に押し上げ、接触部２２をＦＰＣ４０又はＦＦＣに容易に接触させることができる。
（９）前記スライダー１６には所要数の前記コンタクト１４の突出部２６と係合する係止孔３０を設け、該係止孔３０を別個独立にしているので、前記スライダー１６を強固で、確実に回動することができ、かつ、変形を生じない。
（１０）一方の前記コンタクト１４の支点部３２から延設した方向にも前記ＦＰＣ４０又はＦＦＣと接触する接触部２２を設けると、前記ＦＰＣ４０又はＦＦＣの挿入方向に対して、直角方向両側に接触部２２を設けることになり、前記ＦＰＣ４０又はＦＦＣを接触部２２で挟持することになるので、確実に前記ＦＰＣ４０又はＦＦＣと接触できるようになる。
（１１）もう一方の前記コンタクト１４１の支点部３２と接続部２４との間にもＦＰＣ４０又はＦＦＣと接触する接触部２２を設けると、前記ＦＰＣ４０又はＦＦＣの挿入方向に対して、直角方向両側に接触部２２を設けることになり、前記ＦＰＣ４０又はＦＦＣを接触部２２で挟持することになるので、確実に前記ＦＰＣ４０又はＦＦＣと接触できるようになる。
【図面の簡単な説明】
【図１】（Ａ）
スライダーが開いた状態の嵌合口側からみた本発明のコネクタの斜視図である。
（Ｂ）
スライダーが開いた状態の接続部側からみた本発明のコネクタの斜視図である。
【図２】（Ａ）
スライダーが開いた状態のある一方のコンタクト部分で切断した本発明のコネクタの斜視図である。
（Ｂ）
ＦＰＣが挿入されスライダーが閉じた状態のある一方のコンタクト部分で切断した本発明のコネクタの斜視図である。
【図３】（Ａ）
スライダーが開いた状態のあるもう一方のコンタクト部分で切断した本発明のコネクタの斜視図である。
（Ｂ）
ＦＰＣが挿入されスライダーが閉じた状態のあるもう一方のコンタクト部分で切断した本発明のコネクタの斜視図である。
【図４】スライダーの斜視図である。
【図５】一方のコンタクトの変形例を示した図面である。
【符号の説明】
１０                  コネクタ
１２                  ハウジング
１４、１４１、１４２  コンタクト
１６                  スライダー
１８                  嵌合口
１９                  凹部
２０                  押受部
２２                  接触部
２４                  接続部
２６                  突出部
２８                  軸
３０                  係止孔
３２                  支点部
３４                  弾性部
３６                  押圧部
３８                  挿入溝
４０                  ＦＰＣ
４２                  固定部
４４                  延設部
【図１】
2004178958.tif 000003
【図２】
2004178958.tif 000004
【図３】
2004178958.tif 000005
【図４】
2004178958.tif 000006
【図５】
2004178958.tif 000007